(57)【要約】【課題】簡単な構造で脈動を生じさせずに内容物を極めてスムーズに注ぎ出すことができる大型ペットボトル類を提供する。【解決手段】有底胴部の上部に円筒状の取出し部を有するペットボトルで代表される合成樹脂製ボトル容器において、取出し部の内部に、先端が取出し部を過ぎた所要位置に開口した外部空気導入路を有している。【選択図】図９
2004238002.tif 000002
【特許請求の範囲】
【請求項１】
有底胴部の上部に円筒状の取出し部を有するペットボトルで代表される合成樹脂製ボトル容器において、取出し部の内部に、先端が取出し部を過ぎた所要位置に開口した外部空気導入路を有していることを特徴とする合成樹脂製ボトル容器。
【請求項２】
外部空気導入路が同長又は異長の複数の管からなっている請求項１に記載の合成樹脂製ボトル容器。
【請求項３】
同長又は異長の複数の管が取出し部の周方向で異なる位置にある請求項２に記載の合成樹脂製ボトル容器。
【請求項４】
外部空気導入路がボトル本体の壁に一体形成されている請求項１ないし３のいずれかに記載の合成樹脂製ボトル容器。
【請求項５】
外部空気導入路が上部に取出し部に着脱可能な掛け止め部を有したアタッチメントである請求項１ないし３のいずれかに記載の合成樹脂製ボトル容器。
【発明の詳細な説明】
【０００１】
【発明の属する技術分野】
本発明は比較的容量の大きな合成樹脂製ボトル容器に関する。
【０００２】
【従来の技術】
飲料水、ジュースなどで代表される液体を収容する容器としてペットボトルが汎用されている。このようなペットボトルはさまざまな容量のものがあり、直接容器から飲用するような小容量のもののほか、たとえば容量が２リットル以上というような大型で、電気ポットを含む他の容器に内容物を注ぎ出す形態をとるものがある。
【０００３】
しかし、従来のこの種の容器は、頂部に円筒状取出し部を設けただけであったので、後者のように他の容器に内容液を注ぎ出す際に、外部空気が小断面積の取出し部から入りにくく、そのため、脈を打つように間欠的に排出される。
【０００４】
この結果、内容物の排出速度が遅くなるだけでなく、或る量づつドボッ、ドボッと排出されるので、内溶液が飛散してあたりを濡らし、また、持つ手に衝撃を与え、子供などでは容器を取り落とす懸念もあった。
【０００５】
【発明が解決しようとする課題】
本発明は前記のような問題点を解消するためになされたもので、その目的とするところは、簡単な構造で脈動を生じさせずに内容物を極めてスムーズに注ぎ出すことができる大型ペットボトルを提供することにある。
【０００６】
【課題を解決するための手段】
上記目的を達成するため本発明は、有底胴部の上部に円筒状の取出し部を有するペットボトルで代表される合成樹脂製ボトル容器において、取出し部の内部に、先端が取出し部を過ぎ所要位置（容器内の空気溜り位置）に開口する外部空気導入路を有していることを特徴としている。
【０００７】
前記外部空気導入路は複数の管からなっている場合を含んでいる。この態様は、また、管の長さが異なる場合を含んでおり、さらに、管が取出し部の周方向で異なる位置にある場合を含んでいる。外部空気導入路はボトル本体の壁に一体成形されている場合を含んでいる。
さらに、外部空気導入路は上部に取出し部に着脱可能な掛け止め部を有したアタッチメントである場合を含んでいる。
【０００８】
【発明の実施の形態】
以下添付図面を参照して本発明の実施例を説明する。
図１と図２は本発明の第１実施例を示している。１は熱可塑性樹脂たとえばポリエチレンテレフタレートの成形体からなるボトル本体であり、底部１０と胴部１１とを有し、胴部１１の上部は傾斜状のすぼまり部１２となっていて、その頂に円筒状の取出し部１３が突出されている。取出し部１３は外周にねじ１３０が形成され、キャップ２が取付けられるようになっている。
【０００９】
３は外部空気導入路であり、取出し部１３の内側に位置した１本の合成樹脂製の管からなっている。外部空気導入路３は上端３０が取出し部１３の口面と略同じレベル位置し、それから先が垂直状に下り、少なくとも、すぼまり部１２と胴部１１との境界部位に達する以上の長さを有している。この例では、すぼまり部１２を過ぎて胴部１１に沿って延び、胴部中間部位など所要の位置で終わって底部１０方向に開口している。
【００１０】
図２に第２実施例を示している。この実施例では、外部空気導入路３は複数本（図面では２本）の管３ａ、３ｂからなっている。それら管３ａ、３ｂは、いずれも上端３０が取出し部１３の口面と略同じレベル位置し、それから先が垂直状に下り、すぼまり部１２に略対応するように傾斜している。
第１の管３ａは第２の管３ｂよりも相対的に長く、すぼまり部１２を過ぎて胴部１１に沿って延び、胴部中間部位など所要の位置で終わって底部１０方向に開口している。第２の管１３ｂは、すぼまり部１２と胴部１１との境界部位付近で終わっている。
【００１１】
前記のように異なる長さとしたのは、液体が容器に充満しているときに注ぎ出しの仕方により容器内の空気溜り位置が変化するので、それに対応させるためである。
各管３ａ、３ｂは平面上では近接して並列しており、一部がボトル本体１に固定されている。一部とは、たとえば取出し部１３に位置する部分である。
第１実施例や第２実施例は、外部空気導入路３を別部材として準備し、ボトル本体１の成形後に挿入して接合する方式で作られてもよいし、外部空気導入路３を別部材として準備し、それをボトル本体１の成形金型に内にインサートとして配してボトル本体１のブロー成形と同時にいわゆる複合成形の形式で内蔵及び固定を行ってもよい。
【００１２】
各管３ａ、３ｂは独立していてもよいし、相対する壁が共通であってもよい。図３は第２実施例の別な態様を示している。この例では外部空気導入路３は１本の管からなり、長さ方向の中間で断面積の半部が開口して第２の管部分３ｂ’を構成し、それから先が単一の管部となって下降し、第１の管部分３ａ’となっている。固定方式は第１、２実施例と同様である。
【００１３】
図４は第３実施例を示している。この例では、外部空気導入路３の第１の管３ａと第２の管３ｂの組み合わせが２組用いられ、各組が１８０対称位置など周方向で異なる位置に配されている。。固定方式は第１、２実施例と同様である。
また、もちろん、図示しないが、１本づつの管３ａ、３ｂが１８０対称位置など周方向で異なる位置に配されていてもよい。この場合、管３ａ、３ｂの長さは同じであってもよい。
【００１４】
図５は第４実施例を示している。この例においては、外部空気導入路３は取出し部１３及びすぼまり部１２あるいはさらに胴部１１の内壁に沿う管部として一体形成されている。
図示するものは外部空気導入路３の形状を第２実施例のような２本の並列管タイプとしているが、第３実施例のような２本の１８０度程度位相をずらせたタイプとしてもよ。また、第１実施例のような１本タイプとしてもよい。
この第４実施例は、外部空気導入路３を一体形成することで胴部の内リブとなるので、容器剛性が増し、強度が向上する利点もある。
【００１５】
図６は第５実施例を示している。この例では、外部空気導入路３は取出し部１３の内部空間（中心でも偏心していてもよい）に位置し、上端付近には半径方向に伸び取出し部１３につながる複数のステー３１を有している。この第４実施例の製作法は、第１、２実施例と同様である。ステー３１は外端に、取出し部１３内に強嵌される可縮性リング３３を有する形態も好適である。外部空気導入路３は単一の管であってもよいし、図３のような長短枝分れ構造（但し管は直線状であることが好ましい）でもよい。
【００１６】
図７と図８は第６実施例を示している。これらの実施例は、外部空気導入路３を常態ではボトル本体１と独立した部材とし、内溶液を取り出す際に容器に取り付けるアッタッチメントタイプとしたものである。
図７は外部空気導入路３を第５実施例の形態とし、ステー３１の外端に取出し部１３の外周に着脱可能に嵌まるリング状の掛け止め部３２を有している。掛け止め部３２は取出し部１３の雄ねじ１３０と螺合するねじを有していてもよい。図８（ａ）（ｂ）は外部空気導入路３の上端に、取出し部１３に着脱可能な掛け止め部３２を設けている。
【００１７】
図示するものは本発明の数例であり、これに限定されるものではない。たとえば、外部空気導入路３は、長、短、中間といった３本以上の管であってもよく、それらが１組となって周方向で同じ位置に、あるいは周方向で異なる位置に配されていてもよい。
一体形成タイプにおいて、外部空気導入路３はボトル本体１の底部１０から管として立ち上がっていてもよい。この場合、管は所要位置に外気と連通させるための通孔を設ける。
対象となるボトル本体１の断面形状は、角形に限らず、円形などであってもよい。
【００１８】
【実施例の作用】
本発明の合成樹脂製ボトル容器は、通常のものと同様に水などの内容液を充填し、キャップ２をバージンシールの形式で取り付ける。
注ぎ出しに際しては、キャップ２を取出し部１３から取り外し、第１実施例の場合には、外部空気導入路３が上側（図１（ｂ）で右側）にあるようにボトル本体１を手Ｈで把持し、所望の容器類に向けて傾ければよい。
【００１９】
通常の容器では、液面状の僅かな空間にある空気が移動して内溶液の排出を促すだけであり、この空気のボリュームでの押し出し限度に達すると、取り出し部１３から内溶液の排出に逆らうように外部空気が塊として吸い込まれ、このため、脈動的な排出状態になっていたが、本発明では、容器内に貯蔵されていた空気による内容液の押し出しと併行して外部空気導入路３から外部空気が胴部１１内に連続的に吸い込まれるかたちで取り入れられ、空気溜りに補給されるので、全く脈動が発生せず、滝のようにスムースに内溶液の全量が排出される。このため、液が飛散することがなく、容器の揺れにより手に不愉快な振動を与えることがない。
【００２０】
第２実施例の場合には、２本の管３ａ、３ｂを有しているので外部空気の取り入れ量が多くなり、かつ、注ぎ出しの角度（空気溜め位置の変化）に自在に対応できる。すなわち、容器の傾斜を少なくしてゆっくりと注ぎ出す場合には、図９（ａ）のようにすぼまり部１２の領域に空気溜めＫが形成されるが、短い管３ｂがこの領域に開口しているので、外部空気を的確に供給できる。また、容器の傾斜を少なくしてゆっくりと注ぎ出した後、容器の角度を急にして急速に注ぎ出す場合や、当初から容器の角度を急にして急速に注ぎ出す場合には、図９（ｂ）のように胴部１１と底部１０の境界領域に空気溜めＫが形成されるが、長い管３ａがこの領域に開口しているので、外部空気を的確に供給できる。
したがって、注ぎ出しの仕方に対応して、初期から終期まで外部空気が的確に取り入れられ、よりスムースかつ迅速に内溶液の全量が排出される。
【００２１】
第３実施例の場合には、複数の管３ａ、３ｂ組み合わせからなる外部空気導入路３、３がたとえば１８０度変位した位置にあるので、ボトル本体１の把持位置が限定されずに、操作が容易となる。第４実施例も同様である。
【００２２】
第６実施例の場合には、キャップ２を取り外した状態で外部空気導入路３を胴部内に挿入し、掛け止め部３２を取出し部１３に引っ掛けて固定し、その状態でボトル本体１を把持して傾ければよく、第１実施例等と同じように全く脈動が発生せず、スムースに内溶液の全量が排出される。
この実施例は、容器ごとに外部空気導入路３を向ける必要がなく、容器構造は既存のものでよいので、コストが高くならない利点がある。
【００２３】
【発明の効果】
以上説明した本発明の請求項１によるときには、取出し部の内部に、先端が取出し部を過ぎた所要位置に開口した外部空気導入路を有しているので、ボトルを傾けて内溶液を取り出した時に、脈動を生じさせずこれによる周囲への飛散を生じさせずまたボトルの上下動とこれによる不快感を生じさせることなく、極めてスムーズに排出することができるというすぐれた効果が得られる。
【００２４】
請求項２によれば、外部空気の取り入れ量が多くなるので、よりスムーズに且つ迅速に排出することができるというすぐれた効果が得られる。
請求項３によれば、ボトル本体１の把持位置が限定されず、操作が容易となるというすぐれた効果が得られる。
請求項４によれば、外部空気導入路３を一体形成することで胴部の内リブとなるので、容器剛性が増し、強度が向上する利点も得られる。
請求項５によれば、容器ごとに外部空気導入路３を向ける必要がなく、容器構造は既存のものでよいので簡単に適用できるといういうすぐれた効果が得られる。
【図面の簡単な説明】
【図１】（ａ）は本発明による合成樹脂製ボトル容器の第１実施例を示す部分切欠正面図、（ｂ）は一部拡大側面図、（ｃ）は平面図である。
【図２】（ａ）は本発明の第２実施例を示す部分切欠正面図、（ｂ）は一部拡大側面図、（ｃ）は平面図である。
【図３】第２実施例の別な態様を示す外部空気導入路の斜視図である。
【図４】本発明の第３実施例を示す縦断側面図である。
【図５】（ａ）は第４実施例を示す縦断側面図、（ｂ）は（ａ）のＸ−Ｘ線に沿う部分的断面図である。
【図６】（ａ）は第５実施例を示す部分切欠縦断側面図、（ｂ）は（ａ）の平面図である。
【図７】第６実施例の１例を示す部分切欠縦断側面図である。
【図８】（ａ）は第６実施例の他の外部空気導入路を示す斜視図、（ｂ）はその適用状態を示す縦断側面図である。
【図９】（ａ）（ｂ）は注ぎ出しの形態と外部空気の導入の関係を示す説明図である。
【符号の説明】
１    ボトル本体
３    外部空気導入路
３ａ  第１の管
３ｂ  第２の管
１３  取り出し部
３２  掛け止め部
【図１】
2004238002.tif 000003
【図２】
2004238002.tif 000004
【図３】
2004238002.tif 000005
【図４】
2004238002.tif 000006
【図５】
2004238002.tif 000007
【図６】
2004238002.tif 000008
【図７】
2004238002.tif 000009
【図８】
2004238002.tif 000010
【図９】
2004238002.tif 000011